(57)【要約】【課題】複数台の注文受付装置が設置されていて、それらが操作中である場合に、どの注文受付装置が最も早く空きになるかを後から来た顧客が認識可能なプリント注文システムを提供する。【解決手段】プリント注文の受付を行なうことが可能な注文受付装置２を複数備えたプリント注文システムにおいて、画像データが記録された記録媒体を装着する媒体装着部１０と、装着された記録媒体に記録されている画像データを読み込む画像入力部１１と、読み込まれた画像データの画像数及び／又は画像サイズに基づいて、操作者が操作完了の時期を予測演算する予測演算部１４と、演算された結果を進捗状況として外部表示する進捗状況表示部５とを備えている。【選択図】図２
2007164567.tif 000002
【特許請求の範囲】
【請求項１】
プリント注文の受付を行なうことが可能な注文受付装置を複数備えたプリント注文システムにおいて、
画像データが記録された記録媒体を装着する媒体装着部と、
装着された記録媒体に記録されている画像データを読み込む画像入力部と、
読み込まれた画像データの画像数及び／又は画像サイズに基づいて、操作者が操作完了の時期を予測演算する予測演算部と、
演算された結果を進捗状況として外部表示する進捗状況表示部とを備えていることを特徴とするプリント注文システム。
【請求項２】
前記予測演算部は、操作者の注文操作の進行に応じて、操作完了時期の予測演算を再度行い、
前記進捗状況表示部による外部表示を進捗状況に応じて更新可能に構成していることを特徴とする請求項１に記載のプリント注文システム。
【請求項３】
読み込まれた画像データを画面に表示させるための画像表示部を備え、
前記予測演算部は、画像表示部に表示もしくは非表示の画像枚数に基づいて、操作完了の時期を演算することを特徴とする請求項２に記載のプリント注文システム。
【請求項４】
読み込まれた画像データに対するプリント処理を指示するプリント指示部を備え、
前記予測演算部は、プリント処理に要する時間を予測演算することを特徴とする請求項１〜３のいずれか１項に記載のプリント注文システム。
【請求項５】
前記プリント指示部による指示の前後で進捗状況表示部における表示態様を変更させる表示制御部を備えていることを特徴とする請求項４に記載のプリント注文システム。
【請求項６】
請求項１〜５のいずれか１項に記載のプリント注文システムにおいて用いられる注文受付装置であって、
画像データが記録された記録媒体を装着する媒体装着部と、
装着された記録媒体に記録されている画像データを読み込む画像入力部と、
読み込まれた画像データの画像数及び／又は画像サイズに基づいて、操作者が操作完了の時期を予測演算する予測演算部とを備えていることを特徴とする注文受付装置。
【発明の詳細な説明】
【技術分野】
【０００１】
本発明は、プリント注文の受付を行なうことが可能な注文受付装置を複数備えたプリント注文システム及びこれに用いられる注文受付装置に関するものである。
【背景技術】
【０００２】
デジタルカメラ及びコンピュータの普及に伴い、画像データが記録された記録媒体から画像データを読み出し、この読み出された画像データに基づいて写真プリントを作製するプリント注文システムが知られている。例えば、写真店の店頭にプリント注文をするための注文受付装置（端末装置）を設置し、写真店を訪問した顧客は、プリント注文を行なうときには注文受付装置を自分で操作するようなシステムが採用されている（例えば、下記特許文献１）。
【０００３】
すなわち、顧客は記録媒体を写真店に持って行き、注文受付装置に記録媒体を装着して画像データを読み出す。注文受付装置に設けられたモニターには、読み込まれた画像が順番に表示されていき、顧客は各画像についてプリント枚数の設定やプリントサイズの設定を行う。プリント注文を行なわない画像については、例えば、プリント枚数の設定を０とする。このように、顧客は自分でプリント注文のための操作を行い、操作が完了すればその旨の指示操作を行なうことで、プリント注文のための操作が全て完了する。
【０００４】
注文受付装置の台数は記録媒体からの写真プリントの注文数に応じて設置することになるが、例えば、２台の注文受付装置を設置した場合、次のような状況が考えられる。２台の注文受付装置を１号機、２号機とした場合、顧客の数が多い場合は、各注文受付装置の後ろに順番待ちで並ぶことになる。従って、１号機と２号機の両方が顧客によりプリント注文の操作中である場合、３人目の顧客が来店すると、例えば、１号機のほうに順番待ちで並ぶことになり、その後に４人目の顧客が来店した場合には、２号機のほうに順番待ちで並ぶことになる。
【０００５】
かかる場合に、１号機を操作する顧客が大量のプリント注文を行っている場合は、先に来店した３人目の顧客よりも、後から来店した４人目の顧客のほうが、先にプリント注文の操作を行なえるようになる可能性がある。通常は、先に来店したほうが先に目的を果たすべきであるという認識があるため、上記の例では３人目の顧客は不満を感じてしまうことになる。
【０００６】
【特許文献１】特開２００３−０７６７７２号公報
【発明の開示】
【発明が解決しようとする課題】
【０００７】
本発明は上記実情に鑑みてなされたものであり、その課題は、複数台の注文受付装置が設置されていて、それらが操作中である場合に、どの注文受付装置が最も早く空きになるかを後から来た顧客が認識可能なプリント注文システム及びこれに用いられる注文受付装置を提供することである。
【課題を解決するための手段】
【０００８】
上記課題を解決するため本発明に係るプリント注文システムは、
プリント注文の受付を行なうことが可能な注文受付装置を複数備えたプリント注文システムにおいて、
画像データが記録された記録媒体を装着する媒体装着部と、
装着された記録媒体に記録されている画像データを読み込む画像入力部と、
読み込まれた画像データの画像数及び／又は画像サイズに基づいて、操作者が操作完了の時期を予測演算する予測演算部と、
演算された結果を進捗状況として外部表示する進捗状況表示部とを備えていることを特徴とするものである。
【０００９】
かかる構成によるプリント注文システムの作用・効果を説明する。このシステムは、注文受付装置を複数備えており、顧客が自分で操作してプリント注文の受付を行なうことができる。顧客は、自分で持ち込んだ記録媒体を媒体装着部に装着して、記録されている画像データを読み出す。読み込まれた画像データの画像数及び／又は画像サイズに基づいて、操作完了の時期を予測演算部により演算する。これは、画像データの数が多いほど、また、画像データのサイズが大きいほど処理時間が長くなるという考えに基づくものである。進捗状況表示部は、演算された結果を進捗状況として外部表示することができ、後から来店した顧客は、各注文受付装置についての進捗状況を認識することができ、最も早く空きになる注文受付装置の位置に並ぶことができる。進捗状況の外部表示の態様については種々考えられ、例えば、ランプの色、表示バーの長さ、残り時間の数値表示などが例としてあげられる。その結果、複数台の注文受付装置が設置されていて、それらが操作中である場合に、どの注文受付装置が最も早く空きになるかを後から来た顧客が認識可能なプリント注文システムを提供することができる。
【００１０】
本発明に係る予測演算部は、操作者の注文操作の進行に応じて、操作完了の時期の予測演算を再度行い、
前記進捗状況表示部による外部表示を進捗状況に応じて更新可能に構成していることが好ましい。
【００１１】
操作者の注文操作の進行に応じて、操作完了時期を再演算するようにすることで、順番待ちしている顧客に対して、進捗状況を適宜認識させることができ、注文受付装置の空きが来るまでの時間をある程度正確に予測することも可能になる。
【００１２】
本発明において、読み込まれた画像データを画面に表示させるための画像表示部を備え、
前記予測演算部は、画像表示部に表示もしくは非表示の画像枚数に基づいて、操作完了の時期を演算することが好ましい。
【００１３】
顧客が注文のための操作を行なうときに、読み込んだ画像を画像表示部に順番に表示させながら、プリント枚数の設定等を行うことになる。従って、画像表示部に表示された画像の枚数あるいは非表示の画像枚数に基づいて、進捗状況を判断することが可能であり、これに基づいて操作完了の時期を演算することができる。これにより、注文受付装置の空きが来るまでの時間をある程度正確に予測することが可能になる。
【００１４】
本発明において、読み込まれた画像データに対するプリント処理を指示するプリント指示部を備え、
前記予測演算部は、プリント処理に要する時間を予測演算することが好ましい。
【００１５】
注文受付装置がプリント作製処理を行う場合には、顧客はプリント完成まで注文受付装置の前で待機することになり、進捗状況を表示する場合にもプリントに要する時間を予測演算することで、正確な進捗状況を外部表示させることができる。プリント処理を開始するときには、プリント指示部により指示を行い、この時点でプリント処理の対象となっている画像データや画像サイズが確定しているため、プリント処理に要する時間を精度よく予測することができる。
【００１６】
本発明において、前記プリント指示部による指示の前後で進捗状況表示部における表示態様を変更させる表示制御部を備えていることが好ましい。
【００１７】
プリント指示部による指示が行われた場合、進捗状況表示部における表示態様を変更させる。これにより、順番待ちの顧客にプリント処理が開始されたことを明確に表示し、操作完了が近づいていることを知らせることができる。
【００１８】
上記課題を解決するため本発明に係る注文受付装置は、
本発明に係るプリント注文システムにおいて用いられる注文受付装置であって、
画像データが記録された記録媒体を装着する媒体装着部と、
装着された記録媒体に記録されている画像データを読み込む画像入力部と、
読み込まれた画像データの画像数及び／又は画像サイズに基づいて、操作者が操作完了の時期を予測演算する予測演算部とを備えていることを特徴とするものである。
【００１９】
かかる構成による注文受付装置の作用・効果は、既に述べた通りであり、複数台の注文受付装置が設置されていて、それらが操作中である場合に、どの注文受付装置が最も早く空きになるかを後から来た顧客が認識可能である。
【発明を実施するための最良の形態】
【００２０】
本発明に係るプリント注文システムの好適な実施形態を図面を用いて説明する。図１は、プリント注文システムの構成を示す概念図である。
【００２１】
＜プリント注文システムの構成＞
図１に示す構成例は、写真店などにおいて設置されるものであり、デジタルカメラ等の記録媒体を持ち込んだ顧客が写真プリントの注文を自分で行なうためのシステムである。記録媒体としては、コンパクトフラッシュ（登録商標）、スマートメディア（登録商標）、メモリスティック、ＣＤ−Ｒ等が例としてあげられるが、特定の媒体に限定されるものではない。
【００２２】
顧客が注文受付を行うことができるように、注文受付装置２が複数台設置されている。注文受付装置２Ａは、注文受付のみを行なう装置であり、写真プリントの作製は写真処理装置１により行なわれる。写真処理装置１は、銀塩写真を作製するための装置であり、注文受付装置２Ａにより読み込まれた画像データが写真処理装置１に転送されて、写真感光材料に画像形成が行なわれる。写真処理装置１は、公知の構造を有する装置を用いることができる。写真処理装置１と注文受付装置２とは、ＬＡＮ等のネットワークにより接続されている。従って、注文受付のみを行なう注文受付装置２により読み込まれた画像データは、ＬＡＮを経由して写真処理装置１へと転送される。注文受付装置２Ａにより注文受付を行った場合は、写真プリントは後で取りに来ることになる。
【００２３】
注文受付装置２Ｂは、注文受付と写真プリントの作製の両方を行うことができる装置であり、写真プリントを作製するためのインクジェットプリンタを内部に備えている。この場合は、注文受付を行った後、直ちに写真プリントの作製処理が開始されるため、顧客は完成した写真プリントをその場で受け取ることができる。顧客は、いずれかのタイプの注文受付を行なうことができる。
【００２４】
図１において、注文受付装置２は全部で３台図示されているが、本発明による場合は、少なくとも２台の注文受付装置２が設置される。この場合、注文受付のみを行う注文受付装置２Ａと、プリント処理も行なう注文受付装置２Ｂを夫々何台ずつ設置するかについては、特に限定されるものではなく、いずれか一方のタイプの注文受付装置２のみを複数台設置するようにしてもよい。
【００２５】
また、注文受付装置２が設置される場所の近傍に、進捗状況表示装置４が配置され、進捗状況表示部５が設けられている。進捗状況表示部５の数は、注文受付装置２の設置台数に対応して設けられるものであり、各注文受付装置２と進捗状況表示部５とは、一対一で対応している。従って、各注文受付装置２における顧客の操作の進捗状況を外部認識できるようにしている。
【００２６】
すなわち、写真店に入ってきた顧客は、複数台ある注文受付装置２のうち、いずれか１つの注文受付装置２を使用することになるが、顧客が多いときには、注文受付装置２が全て使用中ということがあり、順番待ちをすることになる。複数台ある注文受付装置２のうち、どの注文受付装置２の後ろに順番待ちを行なうかについて、一番早く操作完了が終わると予測されるものを進捗状況表示部５において表示するようにしている。これにより、後から来店した顧客が、既に順番待ちをしている顧客よりも早く操作開始するような事態を未然に防止し、顧客に不満を生じさせないようにする。
【００２７】
具体的には、進捗状況表示部５には、青ランプ５ａ、緑ランプ５ｂ、赤ランプ５ｃの３つが設けられており、青ランプ５ａが点灯している注文受付装置２は操作完了が近づいていることを表示し、赤ランプ５ｃが点灯している注文受付装置２は、操作完了までまだ時間を要することを外部表示している。これにより、注文受付装置２がふさがっている場合、新たに来店した顧客は、これらランプ表示を確認することで、どの注文受付装置２の位置に順番待ちをすればよいかを容易に判断することができる。
【００２８】
＜システムの機能構成＞
次に、図１に示すプリント注文システムの主要な機能を図２に示すブロック図により説明する。まず、注文受付のみを行なう注文受付装置２Ａについて説明する。媒体装着部１０は、種々の記録媒体を装着することができ、そのためのドライブ機構を備えている。装着可能な記録媒体については、前述の通りであり、特定のものに限定されるものではない。画像入力部１１は、装着された記録媒体に格納されている画像データを読み込む機能を有する。ＤＰＯＦなどに基づき、画像データに付随するデータがあればそれも合わせて読み込むことができる。
【００２９】
画像保存部１２は、ハードディスクのような大容量記憶装置を使用することができ、読み込まれた画像データをオーダー単位で一時的に保存する。オーダー単位とは、例えば、装着された記録媒体の１本単位という意味であり、画像データはオーダー単位で管理される。また、各オーダーを特定するための識別情報も自動的に付与され、この識別情報に基づいてオーダーを特定することができる。
【００３０】
注文設定部１３は、読み込まれた各画像データに関して注文情報の設定を行なう。例えば、読み込まれた画像データの個々についてプリント枚数の設定を行う。写真プリントの作製を行なわない画像に関しては、プリント枚数を０に設定すればよい。また、プリントサイズについても個々に設定することができる。
【００３１】
予測演算部１４は、顧客が注文受付装置２の操作完了に要する時間（操作完了時期）を予測演算する。演算は、読み込まれた画像データの数と画像サイズに基づいて行うことができる。画像データの数が多ければ操作完了までの時間が多くなるため、画像データの数に基づいて予測することが可能である。また、予測演算は、記録媒体を装着した直後だけではなく、その後の顧客の操作進行状態（進捗状況）に応じて再演算を行なうようにしている。例えば、多くの画像データを読み込んだ場合、画像を画像表示部１５（モニター画面）に順番に（１ページ分ごと）表示させるが、画像表示部１５への表示が済んだ画像データの数に基づいて、進捗状況を把握することができる。
【００３２】
データ送信部１６は、予測演算部１４により演算された結果得られたデータをネットワーク経由で進捗状況表示装置４へと送信する。進捗状況表示装置４は、送信されてきたデータに基づいて、進捗状況表示部５により表示を行う。
【００３３】
次に、プリント処理も行なう注文受付装置２Ｂの機能について説明する。注文受付装置２Ａと異なる点について中心に説明する。同じ機能をする要素については、同じ図番を付すことにして、説明を省略する。
【００３４】
プリント指示部２０は、読み込まれた全ての画像データについての注文情報が確定した後、注文受付装置２Ｂに対してプリント処理を行なうように指示する。例えば、画面上に表示されるプリント開始ボタンにより、プリント指示を行なうことができる。
【００３５】
プリント処理部２１は、画像保存部１２に保存されている画像データを受け取り、ペーパーの表面に画像形成を行なう。プリント処理部２１は、インクジェットプリンタによるプリントエンジンを備えているが、これに限定されるものではなく、レーザーエンジンやその他のタイプの露光エンジンを備えていてもよい。
【００３６】
プリント集積部２２は、プリント処理部２１により作製された写真プリントが出力され集積される。顧客は、プリント集積部２２に出力された写真プリントを受け取ることができる。また、プリント指示部２０による指示が行われた場合は、その旨の信号が予測演算部１４に送信され、これに基づいて、再度予測演算を行なう。プリント指示部２０による指示が行われた時点では、読み込まれた画像データのうち、プリント処理の対象となる画像データと、プリントサイズのデータが確定しているため、これに基づいて、正確な操作完了時期を演算することができる。
【００３７】
＜注文受付の手順１＞
次に、顧客が注文受付装置２を操作するときの手順を図３のフローチャートにより説明する。まず、注文受付のみを行なう注文受付装置２Ａについて説明する。写真店を訪問した顧客は、媒体装着部１０に記録媒体を装着し、画像データの読み込みを行う（＃１，２）。読み込まれた画像データは、画像保存部１２に保存される。記録媒体に記録されている画像データは、すべて画像保存部１２内に保存される。全ての画像データが保存された後、予測演算部１３は、操作完了時期の予測演算を行なう（＃３）。これは、取り込まれた画像データの数、及び／又は、個々の画像サイズの大きさに基づいて行なうことができる。予測演算の具体的な例を以下説明する。
【００３８】
例えば、読み込んだ画像数が３０以下であれば、比較的注文操作が早く終了すると考えられるので、この場合は、青ランプ５ａを点灯させるための信号を進捗状況表示装置４へ送信する。すなわち、かかる信号データは、予測演算部１４からデータ送信部１６、ＬＡＮを経由して進捗状況表示装置４へ送信され、青ランプ５ａが表示される。
【００３９】
読み込んだ画像数が３０超〜５０以下であれば、標準的な所要時間と考えられるので、緑ランプ５ｂを点灯させるための信号を進捗状況表示装置４へと送信する。画像数が５０を超える場合は、注文操作の時間が長くなると考えられるので、黄ランプ５ｃを転倒させるための信号を進捗状況表示装置４へと送信する。
【００４０】
次に、読み込んだ画像データを画像表示部１５に順番に表示させる（＃４）。図４は、画像表示した場合の画面構成例を示す図である。この画面構成例では、画像を８枚単位で表示することができ、顧客は、個々の画像について、プリント枚数（注文情報に相当）の設定を行う（＃５）。プリント枚数は表示欄３０に表示されており、操作ボタン３１をクリックすることで枚数設定を行なうことができる。プリント枚数はデフォルトで０枚に設定されており、顧客はプリント処理の対象となる画像を選択して、プリント枚数を設定する。プリント枚数のデフォルト設定は０ではなく、１枚に設定してもよい。
【００４１】
また、プリントサイズ（注文情報に相当）については、デフォルトで特定のプリントサイズ（例えば、Ｌサイズ）が全画像データに関して設定されているが、これを設定変更することができる。例えば、設定変更したい画像を選択して、これをダブルクリックすることで、別ウィンドウを立ち上げ、その画面において個別にプリントサイズを設定することができる。
【００４２】
画面に表示できる画像の枚数は８枚であるため、次の画像を表示させるためにはページボタン３２をクリックすることで、次の８画像が画面表示される（＃６）。次の画像（ページ）がない場合には、ステップ＃８へ移行し注文確定のための操作を行なう。ページボタン３２をクリックした場合、全画像のうち８枚分の画像データに関して注文操作が完了したことになる。そこで、改めて予測演算部１４により予測演算を行なう（＃７）。この場合、表示済みの画像データに関しては、注文情報を確認済みであり、読み込んだ画像データの枚数から確認済みの画像データの枚数を減算した残りの（未表示あるいは未確認）画像データの枚数を確認する。このときの演算内容については、既に説明したのと同じとすることができ、未表示の画像データの枚数が３０枚以下となれば、青ランプ５ｃの点灯に切り換えるように、信号を進捗状況表示装置４へと送信する。
【００４３】
もともと読み込んだ画像データの枚数が３０枚以下の場合は、青ランプ５ａのままで表示態様に変化はないが、緑ランプ５ｂであった場合には、緑ランプ５ｂから青ランプ５ａと表示態様を変更する。これにより、順番待ちを行なっている顧客は、操作完了が近いことを認識することができる。また、未表示の画像データの枚数が５０枚以下になった場合は、緑ランプ５ｂを点灯するようにする。従って、記録媒体から画像データを読み込んだ時点で黄ランプ５ｃが点灯していた場合は、これを緑ランプ５ｂに切り換える。
【００４４】
以上のように、１ページずつ注文操作が進行するたびに、予測演算を行い、必要に応じて進捗状況の表示を切り替えるようにする。これにより、後から来た顧客は、どの注文受付装置２が一番早く空くかを容易に認識することができる。全ての画像について注文情報の設定を行った場合は、注文操作は完了であり、注文確定ボタンをクリックする（＃８）。
【００４５】
これにより、画像保存部１２には、注文にかかる画像データがオーダー単位で保存される。これにより、顧客は注文受付装置２の場所を離れることができ、後から完成した写真プリントを受け取りに来ることができる。写真処理装置１は、適宜のタイミングで注文受付装置２に保存されている画像データを取り込み、写真プリントの作製を行なう。
【００４６】
＜注文受付の手順２＞
次に、プリント処理も行なう注文受付装置２における注文受付の手順について図５のフローチャートにより説明する。図５において、ステップ＃８までの手順は、図３で説明したのと同じであるため、説明を省略する。
【００４７】
読み込んだ画像データに関して注文情報が確定した場合（＃８）、顧客は画面に表示されるプリントボタンをクリックする（＃９）。プリントボタンをクリックした後、予測演算部１４は、確定された内容に基づき、操作完了時期を再演算する（＃１０）。すなわち、注文が確定した時点で、プリント処理の対象となる画像データ及びプリントサイズが確定しているため、操作完了時期を高い精度で予測することができる。
【００４８】
プリントボタンをクリックすると、画像データが順次プリント処理部２１へ転送されるが、画像データの転送処理が開始された後にも適宜予測演算部１４による予測演算が行われる。例えば、画像データが転送するために待機している画像データの枚数に応じて、進捗状況表示部５における表示態様を変更することができる。既に説明したように、残り画像が５０枚以下になれば緑ランプ５ｂを点灯させ、３０枚以下になった場合には青ランプ５ａを点灯させるようにすることができる。従って、表示態様を変更する必要が生じた場合は、予測演算部１４の演算結果に応じて適宜進捗状況表示部５の表示態様を切り替えるようにすることができる。
【００４９】
＜別実施形態＞
本実施形態では、進捗状況を３段階のランプ表示により行なうようにしているが、何段階に設定するかは、本発明として特に限定されるものではなく、例えば、４段階以上の多段階に切り換えるようにしてもよい。表示を行うためのランプは、ＬＥＤ、ハロゲンランプ、その他の表示素子を用いることができる。
【００５０】
また、ランプによる表示ではなく、モニター画面による表示を行ってもよい。この場合、個々の注文受付装置２の進捗状況を画面上における色表示により告知することができる。また、ランプ等による色表示による識別ではなく、他の方法で進捗状況を表示するようにしてもよい。例えば、バー表示を用い、バーの長さにより、進捗状況を表示することができ、注文操作が進行することでバーの長さが短くなっていくような表示態様を用いることができる。
【００５１】
更に、数値による表示を行ってもよい。例えば、予測される操作完了時刻を進捗状況表示装置４が表示するようにしてもよく、また、操作完了までの残り時間を表示するようにしてもよい。
【００５２】
本実施形態では、進捗状況表示装置４を注文受付装置２とは別に設けているが、個々の注文受付装置２が進捗状況表示部５を備えていてもよい。この場合、順番待ちを行なう顧客に認識しやすいような場所あるいは表示態様を選択することが好ましい。例えば、画像表示部１５は進捗状況表示部５の機能を兼ねていてもよいし、画像表示部１５とは別に専用の進捗状況表示部５を備えていてもよい。
【００５３】
本実施形態では、画像枚数に基づいた演算を行なっているが、画像枚数と画像サイズに基づいた演算を行なうこともできる。例えば、画像枚数をＮ、画像サイズをＳとした場合、Ｎ×Ｓに基づいて、操作完了時期を演算するようにしてもよい。また、個々の画像データの画像サイズをＳｎとした場合、ΣＳｎに基づいて、操作完了時期を演算してもよい。
【００５４】
本実施形態において、予測演算部１４による予測演算を行なうタイミングについて、図３及び図５のフローチャートで種々説明してきたが、タイミングについては適宜設定するものであり、本実施形態に限定されるものではない。特に、多段階で進捗状況を表示したり、具体的な終了時刻を表示する場合には、より頻繁に予測演算を行うことが好ましい。
【図面の簡単な説明】
【００５５】
【図１】プリント注文システムの構成を示す概念図
【図２】プリント注文システムの機能を示すブロック図
【図３】注文受付装置を操作するときの手順を説明するフローチャート
【図４】注文情報の設定を行うときの画面を示す図
【図５】注文受付装置を操作するときの手順を説明するフローチャート
【符号の説明】
【００５６】
１        写真処理装置
２，２Ａ，２Ｂ      注文受付装置
４        進捗状況表示装置
５        進捗状況表示部
５ａ      青ランプ
５ｂ      緑ランプ
５ｃ      赤ランプ
１０      媒体装着部
１１      画像入力部
１２      画像保存部
１３      注文設定部
１４      予測演算部
１５      画像表示部
２０      プリント指示部
２１      プリント処理部
【図１】
2007164567.tif 000003
【図２】
2007164567.tif 000004
【図３】
2007164567.tif 000005
【図４】
2007164567.tif 000006
【図５】
2007164567.tif 000007